(57)【要約】【課題】バネ接点コネクタと回路基板との間の汚れや酸化皮膜を容易に除去することができる電子機器を提供する。【解決手段】バッテリ１０を収納するバッテリ収納室１８と、回路基板１７と、バッテリ１０と回路基板１７とを電気的に接続するバネ接点コネクタ１６とを有する電子機器であって、バネ接点コネクタ１６は、バッテリ収納室１８に収納されたバッテリ１０に接触するバッテリ側接触面１６ａａと、回路基板１７と接触する回路基板側接触面１６ａｂとを有し、回路基板側接触面１６ａｂはバッテリ収納室１８にバッテリ１０が収納される動作に連動して回路基板１７上を摺動する。【選択図】図１
2009211895.tif 000002
【特許請求の範囲】
【請求項１】
電気接点を有する付属品を収納する付属品収納部と、
電極面を有する回路基板と、
前記付属品の前記電気接点と前記回路基板の前記電極面とを電気的に接続するコネクタとを有する電子機器であって、
前記コネクタは、前記付属品収納部に収納された前記付属品の前記電気接点に接触する第一の接触部と、前記回路基板の前記電極面に接触する第二の接触部とを有し、前記第二の接触部は前記付属品を前記付属品収納部に収納する動作に連動して前記電極面を摺動することを特徴とする電子機器。
【請求項２】
前記第一の接触部は前記付属品を前記付属品収納部に収納する動作に連動して前記電気接点を摺動し、前記第一の接触部が前記電気接点を摺動することで、前記第二の接触部は前記電極面を摺動することを特徴とする請求項１に記載の電子機器。
【請求項３】
前記コネクタの前記第一の接触部及び前記第二の接触部は一体形成され、
前記第一の接触部及び前記第二の接触部は、支点軸を中心として揺動可能に保持されていることを特徴とする請求項２記載の電子機器。
【請求項４】
前記コネクタのハウジングは、前記付属品収納部に位置決め保持されていることを特徴とする請求項１乃至３のいずれか一に記載の電子機器。
【請求項５】
前記回路基板は、前記付属品収納部に位置決め保持されていることを特徴とする請求項４記載の電子機器。
【請求項６】
前記第一の接触部及び前記第二の接触部は、抜きばり形成されていることを特徴とする請求項１乃至５のいずれか一に記載の電子機器。
【請求項７】
前記回路基板の前記電極面の裏面に第二のコネクタが実装されていることを特徴とする請求項１乃至６のいずれか一に記載の電子機器。
【請求項８】
前記第二のコネクタと外装カバーユニットとの間には、該第二のコネクタの接触保証量以下のクリアランスが確保されていることを特徴とする請求項７記載の電子機器。
【請求項９】
前記コネクタは、バッテリ端子であることを特徴とする請求項１乃至８のいずれか一に記載の電子機器。
【発明の詳細な説明】
【技術分野】
【０００１】
本発明は、電子撮像装置等の電子機器に係り、特に、コネクタと回路基板との間の汚れや酸化皮膜を容易に除去することができる電子機器に関する。
【背景技術】
【０００２】
従来から、撮像素子から出力される画像信号、画像情報等をデータファイルとして記録する電子撮像装置が広く普及している。電子撮像装置のような電子機器においては、バッテリの接片コネクタが基板に半田固定されているものが多い。
【０００３】
従来のバッテリ接片コネクタは、基板に半田固定されているため、基板との間に実装ズレ（半田固定時の位置ズレ）が発生し、コネクタのハウジングとバッテリ収納室の位置関係にズレが生じ易い。このため、バッテリとコネクタの位置関係が更に悪化し、接片同士の導通不良や、バッテリ装填時にコネクタに応力が掛かることによる基板剥離等の問題が懸念されていた。
【０００４】
その対策として、コネクタが基板に半田固定されず、バネ接点を用いて導通させるもの（以下、「バネ接点コネクタ」という。）が知られている。バネ接点コネクタは、基板に半田固定されていないため、コネクタ本体を直接電池室に位置決めしやすく、バッテリとコネクタ間の位置関係のズレが少なくなり、上記問題が大幅に改善されている。
【０００５】
しかしながら、バネ接点コネクタと基板は半田導通していないため、コネクタのバネ接点と基板との間に汚れや酸化皮膜が付着すると接触不良が生じ易く、電子機器の安定した動作を得ることができないという問題が生じている。この接触面の汚れや酸化皮膜による接触不良は、接触圧を高める等の簡易的対策だけでは排除することができない。
【０００６】
このような接触面の汚れや酸化皮膜を除去する技術が、例えば特許文献１に開示されている。特許文献１に開示された技術によれば、電池室内への電池収納の際、電池接片の接触部の一部が電池の収納方向を含む面内において弾性変形しながら回転し接触面を擦ることで、電池に付着した汚れや酸化皮膜を除去する。
【特許文献１】特開２００５−１０８６６７号公報
【発明の開示】
【発明が解決しようとする課題】
【０００７】
特許文献１に開示されている技術は、電池の接触面の汚れや酸化皮膜の除去という点で効果的であり、電子機器の安定した動作を得ることができる。
【０００８】
しかしながら、特許文献１には、電池に付着した汚れや酸化皮膜の除去に関する技術が開示されているだけであり、コネクタと基板間の汚れや酸化皮膜には全く着目していない。
【０００９】
コネクタと基板間についても、電池の接触面と同様に、汚れや酸化皮膜による接触不良が問題となっている。また、バネ接点コネクタを使用する際、圧接導通させる基板が薄型化傾向にあるため、反りや変形が生じ、それによる接触不良等も問題になっている。
【００１０】
そこで、本発明は、コネクタと基板間の汚れや酸化皮膜を容易に除去し、かつ、基板の反りや変形等を防止する電子機器を提供するものである。したがって、本発明は、常に安定した動作を得られる信頼性の高い電子機器を提供するものである。
【課題を解決するための手段】
【００１１】
上記課題を解決するため、本発明の一側面としての電子機器は、電気接点を有する付属品を収納する付属品収納部と、電極面を有する回路基板と、前記付属品の前記電気接点と前記回路基板の前記電極面とを電気的に接続するコネクタとを有する電子機器であって、前記コネクタは、前記付属品収納部に収納された前記付属品の前記電気接点に接触する第一の接触部と、前記回路基板の前記電極面に接触する第二の接触部とを有し、前記第二の接触部は前記付属品を前記付属品収納部に収納する動作に連動して前記電極面を摺動することを特徴とする。
【００１２】
本発明の他の目的及び特徴は、以下の実施例において説明される。
【発明の効果】
【００１３】
本発明によれば、コネクタと基板間の汚れや酸化皮膜を容易に除去し、かつ、基板の反りや変形等を防止する電子機器を提供することができる。このため、常に安定した動作を得られる信頼性の高い電子機器を提供することができる。
【発明を実施するための最良の形態】
【００１４】
以下、本発明の実施例について、図面を参照しながら詳細に説明する。各図において、同一の部材については同一の参照番号を付し、重複する説明は省略する。
【００１５】
まず、本実施例における電子撮像装置の基本構成を説明する。
【００１６】
図２は、本実施例における電子撮像装置の正面斜視図である。また、図３は、本実施例における電子撮像装置の背面斜視図である。
【００１７】
図２及び図３において、１は撮像装置本体である。撮像装置本体１の内部には回路基板が設けられており、回路基板には、撮影を可能とする部材、例えば、光学像を光電変換して画像データを生成するＣＣＤやＣＭＯＳイメ−ジセンサ等の撮像素子（不図示）等が実装されている。
【００１８】
３は、被写体像を撮像素子に結像する沈動式の光学系撮影レンズ鏡筒である。光学系撮影レンズ鏡筒３は、撮像装置本体１の被写体側部（以下、「前面部」という。）に固定されている。４は、撮影動作時に被写体像を観察し撮影範囲等を決定するファインダ光学系開口部である。ファインダ光学系開口部４は、光学系撮影レンズ鏡筒３の近傍かつ撮像装置本体１の上方に配設されている。
【００１９】
５は、図中右上に撮影時に光量が足りない時等に必要に応じて発光するストロボ発光窓である。ストロボ発光窓５は、撮像装置本体１の前面部（図中右上）に設けられている。
【００２０】
撮像装置本体１の非被写体側部（以下、「背面部」という。）には、液晶表示装置６（ＬＣＤ）が設けられている。液晶表示装置６は、撮像する被写体像の確認や、撮像された画像の再生表示に用いられる。図３に示されるように、液晶保護窓７が撮像装置本体１の背面部に露出して配置されている。液晶保護窓７は、液晶表示装置６を傷やごみ等の異物から保護するために設けられている。
【００２１】
８は、シャッターボタンである。シャッターボタン８は、２段階の押圧操作が可能となっている。このシャッターボタン８を半押し操作すると、撮影準備動作（測光動作や測距動作等）が開始される。また、シャッターボタン８を全押し操作すると、被写体が撮影され、後述する記録媒体に被写体像の画像データが記録される。
【００２２】
９は、付属品を収納する収納室（付属品収納部）を開閉可能にする蓋部材である。本実施例の電子撮像装置では、電子撮像装置の電源となるバッテリ１０及び撮影された被写体像が記録される記録媒体１１が付属品を構成し、バッテリ１０及び記録媒体１１が収納室に収納される。蓋部材９を開くことによって、収納室開口部が開き状態となり、バッテリ１０及び記録媒体１１の各々の挿抜が可能となる。
【００２３】
バッテリ１０としては、例えば、使い切り式一次電池又は充電式電池等が用いられる。また記録媒体１１としては、例えば、ＳＤメモリカード等が用いられる。
【００２４】
１２は、モード設定レバーである。モード設定レバー１２は、撮像装置本体１に対してスライド可能に支持されている。モード設定レバー１２の近傍には、各種の撮影モードに応じた複数のマーク（不図示）が印刷されている。これらのマークのいずれかにモード設定レバー１２の指標を合わせることで、マークに応じて静止画撮影モード、動画撮影モ−ド、又は、撮影画像再生モ−ドの設定を行うことができる。
【００２５】
１３は、ストラップ取付けリングである。ストラップ取付けリング１３は長孔を形成し、この長孔にストラップ紐（不図示）を挿入することができる。
【００２６】
１４は、電源及び信号の入出力用ジャック保護用のカバー部材である。カバー部材１４を開状態とすることにより、電源及び信号の入出力用ジャックへの各種ケーブル類の抜き差しが可能となる。１５は、複数の操作釦である。操作釦１５は、撮像装置に対して種々の指示を与える際に利用される。
【００２７】
また、本実施例の電子撮像装置に用いられる回路基板としては、主基板1枚で構成されるもの、又は、主基板と補助基板の２枚の大型基板から構成されているものがある。２枚基板構成の撮像装置では、例えば、主基板にカードＩ／Ｆ等を含む記録媒体スロットや撮像部、画像処理部、システム制御部、ＬＣＤ表示部、シリアルＩ／Ｆ、シリアル接続端子等が実装されている。また補助基板には、電源供給切換回路、ＤＣ／ＤＣコンバータ、操作ＳＷ、ビデオＩ／Ｆ、ビデオ接続端子、及び、外部電源入力端子等が実装されている。
【００２８】
次に、本実施例における電子撮像装置の要部構成及びそのレイアウトを説明する。
【００２９】
図１は、本実施例における電子撮像装置の拡大断面図である。図１は、撮像装置本体１の内部に装填されたバッテリ１０とバネ接点コネクタ１６の関係を示している。
【００３０】
１６は、バネ接点コネクタである。バネ接点コネクタ１６は、バッテリ１０等の付属品と回路基板１７とを電気的に接続するものである。バネ接点コネクタ１６は、接片１６ａ、支点軸１６ｂ、及び、ハウジング１６ｃから構成される。
【００３１】
また、接片１６ａは、バッテリ側接触面１６ａａ（第一の接触部）及び回路基板側接触面１６ａｂ（第二の接触部）を有する。後述のように、第一の接触部は、バッテリ収納室１８に収納されたバッテリ１０（付属品）に接触する。また、第二の接触部は、第一の接触部に連動して回路基板１７上を摺動する。
【００３２】
バネ接点コネクタ１６のバッテリ側接触面１６ａａは、バッテリ１０がバッテリ収納室１８に挿入されて蓋部材９が閉じられることにより、バッテリ電極面１０ａ（電気接点）に接触する。このとき、バッテリ側接触面１６ａａは、図１に示すように、バッテリ１０に押されながら、バッテリ電極面１０ａ上を右から左に摺動する。また、蓋部材９が開き、バッテリ１０がバッテリ収納室１８から排出することにより、バッテリ側接触面１６ａａは、バッテリ電極面１０ａ上を左から右に摺動する。
【００３３】
このように、バネ接点コネクタ１６のバッテリ側接触面１６ａａは、バッテリ１０の挿抜に従って、バッテリ電極面１０ａ上を摺動する。図１の矢印（点線）は、バッテリ側接触面１６ａａの摺動方向を示している。
【００３４】
バネ接点コネクタ１６の回路基板側接触面１６ａｂは、バッテリ側接触面１６ａａの動作に連動して、回路基板１７に形成されている回路基板電極面１７ｂ（電極面）上を摺動する。すなわち、図１に示すように、バッテリ１０が挿入されてバッテリ側接触面１６ａａが右から左に摺動すると、回路基板接触面１６ａｂは、これに連動して、回路基板電極面１７ｂ上を上から下へ摺動する。また、バッテリ１０が排出してバッテリ側接触面１６ａａが左から右へ摺動すると、回路基板接触面１６ａｂは、これに連動して、回路基板電極面１７ｂ上を下から上へ摺動する。
【００３５】
このように、バネ接点コネクタ１６の回路基板側接触面１６ａｂは、バッテリ１０の挿抜に従って、回路基板電極面１７ｂ上を摺動する。図１の矢印（実線）は、回路基板接触面１６ａｂの摺動方向を示している。
【００３６】
バネ接点コネクタ１６の支点軸１６ｂは、ハウジング１６ｃに固定されている。支点軸１６ｂは、ハウジング１６ｃの内部において、接片１６ａの中央部を支持している。このため、バッテリ側接触面１６ａａがバッテリ１０に押圧されると、回路基板接触面１６ａｂは、支点軸１６ｂを中心として、回路基板電極面１７ｂ上を摺動する。このように、バネ接点コネクタ１６の接片１６ａ（バッテリ側接触面１６ａａ及び回路基板接触面１６ａｂ）は、支点軸１６ｂを中心として揺動可能に保持されている。
【００３７】
このような構成のバネ接点コネクタ１６を備えることにより、回路基板電極面１７ｂ又はバネ接点コネクタ１６の回路基板接触面１６ａｂに付着していた汚れや酸化皮膜が除去され、良好な電気接触面を確保することができる。その結果、消費電力を低減させることが可能になる。
【００３８】
本実施例では、バッテリ側接触面１６ａａ及び回路基板側接触面１６ａｂは、抜きばり形成される。このように、バッテリ側接触面１６ａａ及び回路基板側接触面１６ａｂを抜きばり形成すると、表面摩擦が大きくなり、汚れや酸化皮膜の除去効果をより高めることができる。また、接片１６ａを高導電性金属材料で形成することにより、バッテリ電力を効率良く取り出すことができる。このように、良好な電気接触面が確保されることで、電子機器の消費電力を低減させることが可能となる。
【００３９】
本実施例では、バネ接点コネクタ１６の接片１６ａを板ばね材料により形成している。ただしこれに限定されるものではなく、接片１６ａを線材で形成してもよい。また、バネ接点コネクタ１６のハウジング１６ｃ内の構成は、ハウジング１６ｃに支持された接片１６ａのバッテリ側接触面１６ａａが押圧された場合、回路基板側接触面１６ａｂがこれに連動して、回路基板電極面１７ｂ上を少しでも摺動すればよい。このような動作が可能な構成であれば、支点軸１６ｂは無くてもよい。
【００４０】
さらに、本実施例において、接片１６ａのバッテリ側接触面１６ａａと回路基板側接触面１６ａｂとは一体形成されている。これらを一体形成することにより、部品点数の増加による電気的ロスが無くなり、消費電力をより低減させることができる。ただし、これに限定されるものではなく、バッテリ側接触面１６ａａと回路基板側接触面１６ａｂとが連動するように構成されていれば、これらが別体として形成されているものであってもよい。
【００４１】
なお、２２は挿抜可能な第二のコネクタ（例えば、ボード・トゥ・ボードコネクタ等）である。第二のコネクタ２２は、回路基板１７のバネ接点コネクタ１６との接触面の裏面において、バネ接点コネクタ１６と対向するように実装されている。図１に示されるように、第二のコネクタ２２を押さえる外装カバーユニット２６（外装インナーモールド２７の受け部２７ａ）は、挿抜可能な第二のコネクタ２２の接触保証量以下のクリアランスＡを確保している。このような構成により、組立誤差等による部品干渉を防止し、また、振動や衝撃によるコネクタ同士の外れを防止することができる。
【００４２】
図４は、本実施例の電子撮像装置におけるバッテリユニットの展開図である。図４は、バッテリ収納室１８、バネ接点コネクタ１６、及び、回路基板１７の構成を示している。
【００４３】
図４に示されるように、バッテリ収納室１８（付属品収納部）には、下方向から装填されるバッテリ１０の上面略中央に接触する排出バネ１９が設けられている。このような構成によれば、バッテリ１０が装填されている間、排出バネ１９がバッテリ１０に付勢する。そして、バッテリ１０が装填された状態でバッテリロック解除レバー２０を回転させると、排出バネ１９の付勢力によって、バッテリ１０がバッテリ収納室１８より排出される。
【００４４】
２１は三脚取り付け部である。三脚取り付け部２１は、剛性の高いダイキャスト材で成型されている。バネ接点コネクタ１６は、バッテリ収納室１８に回路基板１７を実装する前に組み込まれる。バネ接点コネクタ１６は、ハウジング１６ｃの外形で位置決めしながら、バッテリ収納室１８の開口部１８ｂに組み込まれる。このようにして、ハウジング１６ｃは、バッテリ収納室１８に位置決め保持される。このため、バッテリ１０とバネ接点コネクタ１６の位置精度が向上し、接片同士の導通不良や、バッテリ充填時においてコネクタに応力が掛かることによる基板剥離等の問題を低減させることができる。
【００４５】
また、バネ接点コネクタ１６がハウジング１６ｃで位置決めされたバッテリ収納室１８のボス１８ａと回路基板１７の穴１７ａとは、嵌合位置決めされる。このため、バネ接点コネクタ１６と回路基板１７とが半田固定されていなくても、バネ接点コネクタ１６と回路基板１７との位置精度を損なうことがない。
【００４６】
さらに、バネ接点コネクタ１６と接触する回路基板１７の接触面の裏面に、バネ接点コネクタ１６より幅が大きい第二のコネクタ２２（ボード・トゥ・ボードコネクタ等）が配置されている。このような構成により、バネ接点コネクタ１６の周囲の剛性を高めることができる。
【００４７】
この結果、デッドスペースを作ることなく、バネ力による回路基板１７の反りや変形等を防止することができ、バネ接点コネクタ１６と回路基板１７との間の接触を安定させることが可能となる。また、回路基板１７のコネクタ２２の近傍には、ビス等の締結手段が設けられている。このような構成により、バネ接点コネクタ１６のバネ力による回路基板１７の反りや変形等をより効果的に防止することができる。
【００４８】
図５は、本実施例における電子撮像装置の内部構成図である。
【００４９】
図５において、５ａはストロボ発光ユニットである。ストロボ発光ユニット５ａは、撮影時に光量が足りない場合等、必要に応じて発光し、光学系撮影レンズ鏡筒３の左側に組み込まれている。また、ストロボ発光ユニット５ａはフレーム固定され、駆動回路を実装したストロボフレキ（不図示）、及び、ストロボコンデンサ２４は両面テープにより固定されている。
【００５０】
回路基板１７をビス固定したバッテリ収納室１８は、光学系撮影レンズ鏡筒３の右側に組み込まれ、ＣＣＤフレキ２３で結合されている。本実施例では、回路基板１７のコネクタ２２の近傍に、ビス等の締結手段が設けられている。このような構成により、バネ接点コネクタ１６のバネ力による回路基板１７の反りや変形等を防止することができ、バネ接点コネクタ１６と回路基板１７との間の接触を安定させることができる。
【００５１】
図６は、本実施例における電子撮像装置の展開図である。図６は、電子撮像装置の内部構成、操作系フレキ２５、及び、外装カバーユニット２６を展開したものである。
【００５２】
図６に示されるように、操作系フレキ２５は、回路基板１７上に実装されているコネクタ２２に嵌合固定される。操作系フレキ２５には、モード設定レバー１２のスライドに連動するモ−ド切換ＳＷや、操作釦１５用のタクトＳＷ（不図示）が実装されている。
【００５３】
外装カバーユニット２６は、嵌合固定された操作系フレキ２５が振動や衝撃で外れないように、操作系フレキ２５の嵌合部を受ける構成となっている。このため、デッドスペースを作らずに、バネ接点コネクタ１６のバネ力による回路基板１７の反りや変形等を防止することができる。その結果、バネ接点コネクタ１６と回路基板１７との間の接触を安定させることができる。
【００５４】
図７は、本実施例の電子撮像装置における外装カバーユニットの構成図である。
【００５５】
図７に示されるように、外装カバーユニット２６には外装インナーモールド２７が接着固定されている。図７中の斜線部で示される外装インナーモールド２７の受け部２７ａは、回路基板に実装されたコネクタ２２と嵌合固定された操作系フレキ２５のコネクタ部を受けている。このため、バネ接点コネクタ１６のバネ力による回路基板１７の反りや変形等を防止することができる。また、撮像装置本体１の振動や衝撃でコネクタ同士が容易に外れるのを防止することができる。
【００５６】
図８は、本実施例における電子撮像装置の断面図である。
【００５７】
図８に示されるように、バネ接点コネクタ１６に接触する回路基板１７の接触面の裏面には、第二のコネクタ２２が配置されている。このとき、第二のコネクタ２２は、バネ接点コネクタ１６の実装部と対向するように配置されている。好ましくは、第二のコネクタ２２は、回路基板１７の面の垂直方向から見て、少なくともその一部がバネ接点コネクタ１６と重なるように配置されている。
【００５８】
このような構成により、回路基板１７の剛性を高め、バネ接点コネクタ１６のバネ力による回路基板１７の反りや変形等を防止することができる。その結果、バネ接点コネクタ１６と回路基板１７との間の接触を安定させることができる。
【００５９】
さらに、外装カバーユニット２６に接着固定された外装インナーモールド２７の受け部２７ａは、回路基板に実装されたコネクタ２２と嵌合固定された操作系フレキ２５のコネクタ部を受けている。このため、バネ接点コネクタ１６のバネ力による回路基板１７の反りや変形等を防止することができる。また、撮像装置本体１の振動や衝撃でコネクタ同士が容易に外れるのを防止することができる。
【００６０】
以上説明したように、本実施例によれば、バネ接点コネクタが付属品により押される度に、バネ接点コネクタと回路基板との間の汚れや酸化皮膜がクリーニングされる。このため、これらの接触面を良好に保つことができる。また同時に、回路基板の反りや変形等を効果的に防止することができる。従って、本実施例によれば、安定した動作の得られる信頼性の高い電子機器を提供することができる。
【００６１】
以上、本発明の実施例について詳細に説明したが、本発明は上記実施例で説明した事項に限定されるものではない。本発明は、本発明の趣旨を逸脱しない範囲内で適宜変更が可能である。
【００６２】
上記実施例では、付属品をバッテリとして、バッテリと回路基板との間を接続するコネクタの構造に関して説明した。すなわち、バネ接点コネクタはバッテリ端子として用いられるものであった。ただしこれに限定されるものではなく、例えば、付属品をメモリカードとして、上記実施例の構成を、メモリカードと回路基板との間を接続するコネクタに適用することもできる。
【００６３】
なお、上述の実施例では、電子撮像装置を電子機器の一例として説明したが、本発明はこれに限定されるものではない。本発明の構成は、ビデオカメラ、携帯電話、又は、ポケットテレビ等、他の電子機器にも好んで適用されることができる。
【図面の簡単な説明】
【００６４】
【図１】本実施例における電子撮像装置の拡大断面図である。
【図２】本実施例における電子撮像装置の正面斜視図である。
【図３】本実施例における電子撮像装置の背面斜視図である。
【図４】本実施例における電子撮像装置バッテリユニットの展開図である。
【図５】本実施例における電子撮像装置の内部構成図である。
【図６】本実施例における電子撮像装置の展開図である。
【図７】本実施例の電子撮像装置における外装カバーユニットの構成図である。
【図８】本実施例における電子撮像装置の断面図である。
【符号の説明】
【００６５】
１    撮像装置本体
３    光学系撮影レンズ鏡筒
４    ファインダ光学系開口部
５    ストロボ発光窓
５ａ    ストロボ発光ユニット
６    液晶表示装置
７    液晶保護窓
８    シャッターボタン
９    バッテリ蓋部材
１０    バッテリ
１０ａ    バッテリ電極面
１１    記録媒体
１２    モード設定レバー
１３    ストラップ取付けリング
１４    ジャック保護カバー
１５    操作釦
１６    バネ接点コネクタ
１６ａ    接片
１６ａａ    バッテリ側接触面（第一の接触部）
１６ａｂ    回路基板側接触面（第二の接触部）
１６ｂ    支点軸
１７    回路基板
１７ｂ    回路基板電極面
１８    バッテリ収納室
１９    排出バネ
２０    バッテリロック解除レバー
２１    三脚取り付け部
２２    第二のコネクタ
２３    ＣＣＤフレキ
２４    ストロボコンデンサ
２５    操作系フレキ
２６    外装カバーユニット
２７    外装インナーモールド
【図１】
2009211895.tif 000003
【図２】
2009211895.tif 000004
【図３】
2009211895.tif 000005
【図４】
2009211895.tif 000006
【図５】
2009211895.tif 000007
【図６】
2009211895.tif 000008
【図７】
2009211895.tif 000009
【図８】
2009211895.tif 000010